(57)【要約】【課題】書き込み動作を安定させることで、セルの不灯を抑制し表示特性を向上させることができるプラズマディスプレイパネルの駆動方法を提供することを目的とする。【解決手段】書き込み期間と維持期間とを有する複数のサブフィールドによって１フィールド期間が構成されたプラズマディスプレイパネルの駆動方法であって、前記複数のサブフィールドのうち少なくとも１つのサブフィールドにおける維持期間の維持動作と、前記サブフィールドに続くサブフィールドの初期化期間の初期化動作とを同時に行うように構成し、前記複数のサブフィールドのうち少なくとも１つのサブフィールドにおける書き込み期間の先頭に強放電初期化期間を設けた。これにより、書き込み期間の前で強放電を起こさせ、書き込み動作をより安定させることで、セルの不灯を抑制し表示特性を向上させることができる。【選択図】  図１
2005037605.tif 000002
【特許請求の範囲】
【請求項１】
書き込み期間と維持期間とを有する複数のサブフィールドによって１フィールド期間が構成されたプラズマディスプレイパネルの駆動方法であって、前記複数のサブフィールドのうち少なくとも１つのサブフィールドにおける維持期間の維持動作と、前記サブフィールドに続く次のサブフィールドの初期化動作とを同時に行うように構成し、かつ前記複数のサブフィールドのうち少なくとも１つのサブフィールドにおける書き込み期間の先頭に強放電初期化期間を設けたことを特徴とするプラズマディスプレイパネルの駆動方法。
【請求項２】
書き込み期間と維持期間とを有する複数のサブフィールドによって１フィールド期間が構成されたプラズマディスプレイパネルの駆動方法であって、前記複数のサブフィールドのうち少なくとも１つのサブフィールドにおける維持期間の維持動作と、前記サブフィールドに続く次のサブフィールドの初期化動作とを同時に行うように構成し、かつ前記複数のサブフィールドのうち少なくとも１つのサブフィールドに初期化期間を設け、その初期化期間を強放電初期化期間としたことを特徴とするプラズマディスプレイパネルの駆動方法。
【請求項３】
強放電初期化期間は複数のサブフィールドのうち少なくとも先頭のサブフィールドの初期化期間に設けたことを特徴とする請求項２に記載のプラズマディスプレイパネルの駆動方法。
【請求項４】
強放電初期化期間が５Ｖ／μｓ以上の電圧の変化速度を有する電圧波形を印加するものであることを特徴とする請求項１または２に記載のプラズマディスプレイパネルの駆動方法。
【請求項５】
強放電初期化期間が駆動波形の電圧を印加するものであることを特徴とする請求項１または２に記載のプラズマディスプレイパネルの駆動方法。
【発明の詳細な説明】
【０００１】
【発明の属する技術分野】
本発明は、大画面で薄型、軽量のディスプレイ装置として用いられるプラズマディスプレイパネルの駆動方法に関するものである。
【０００２】
【従来の技術】
図５にプラズマディスプレイパネル（以下パネルという）を示している。図５に示すように、パネル１は、間に放電空間を形成するように、ガラス製の前面基板２と背面基板３とを対向配置して構成されている。前面基板２上には走査電極４と維持電極５とが互いに平行に対を成して複数形成されており、走査電極４および維持電極５を覆うように誘電体層６が形成され、誘電体層６上には保護層７が形成されている。また、背面基板３上には絶縁体層８で覆われた複数のデータ電極９が付設され、データ電極９の間の絶縁体層８上にデータ電極９と平行して隔壁１０が設けられている。また、絶縁体層８の表面および隔壁１０の側面に蛍光体１１が設けられ、走査電極４および維持電極５とデータ電極９とが直交するように構成されている。前面基板２と背面基板３との間に形成される放電空間には、放電ガスとして例えばネオンとキセノンの混合ガスが封入されている。
【０００３】
また、図６はこのパネルの電極配列図を示したものである。行方向にｎ個の走査電極ＳＣＮ１〜ＳＣＮｎ（図５の走査電極４）およびｎ個の維持電極ＳＵＳ１〜ＳＵＳｎ（図５の維持電極５）が対をなして交互に配列され、列方向にｍ個のデータ電極Ｄ１〜Ｄｍ（図５のデータ電極９）が配列されている。そして、１対の走査電極ＳＣＮｉおよび維持電極ＳＵＳｉ（ｉ＝１〜ｎ）と１つのデータ電極Ｄｊ（ｊ＝１〜ｍ）とが交差した部分に放電セル１２が形成され、放電セル１２は放電空間にｍ×ｎ個形成されている。
【０００４】
次に、このパネルを駆動するための特許文献１に示す駆動方法について、図７を用いて説明する。
【０００５】
図７において例えば１フィールド期間は、初期化期間と書き込み期間と維持期間とを有する第１〜第８のサブフィールド（ＳＦ１〜ＳＦ８）で構成されており、これによって２５６階調の表示を行う。これら８個のサブフィールドのうち、ＳＦ１を除く７個のサブフィールドにおいて、初期化期間の初期化動作を前のサブフィールドの維持期間中に点灯した放電セルでのみ初期化動作を行うようにしている。
【０００６】
ＳＦ１の初期化期間では、全てのデータ電極Ｄ１〜Ｄｍおよび全ての維持電極ＳＵＳ１〜ＳＵＳｎを０（Ｖ）に保持し、全ての走査電極ＳＮＣ１〜ＳＣＮｎに対して放電開始電圧以下となる電圧Ｖｐ（Ｖ）から、放電開始電圧を超える電圧Ｖｒ（Ｖ）に向かって緩やかに上昇するランプ電圧を印加することにより、全ての放電セルにおいて微弱放電を起こし、維持電極上およびデータ電極上に正の壁電荷を蓄え、走査電極上に負の壁電荷を蓄える。その後、全ての維持電極ＳＵＳ１〜ＳＵＳｎを正電圧Ｖｈ（Ｖ）に保ち、全ての走査電極ＳＣＮ１〜ＳＣＮｎにＶａ（Ｖ）に向かって緩やかに下降するランプ電圧を印加することにより、全ての放電セルにおいて微弱な放電を起こし、各電極上に蓄えられた壁電荷を弱める。このような初期化動作により、放電セル内の電圧は放電開始電圧に近い状態となる。
【０００７】
ＳＦ１の書き込み期間では、１行目から順に走査電極ＳＣＮｉに走査パルス電圧Ｖｂ（Ｖ）を印加すると同時に、映像信号にしたがってデータ電極Ｄｊに書き込みパルス電圧Ｖｗ（Ｖ）を印加することにより、表示を行うべき放電セルにのみ書き込み放電を起こす。これにより、映像信号に対応した壁電荷が放電セルに形成される。
【０００８】
ＳＦ１の維持期間では、全ての走査電極ＳＣＮ１〜ＳＣＮｎおよび維持電極ＳＵＳ１〜ＳＵＳｎに維持パルス電圧Ｖｍ（Ｖ）を交互に印加することにより、書き込み放電を起こした放電セルにおいて維持放電を起こす。この維持放電によって所望の画像表示が行われる。
【０００９】
ＳＦ２の初期化期間が始まる時点では、ＳＦ１で維持放電を行った放電セルでは維持電極上ならびにデータ電極上には正の壁電荷が存在し、走査電極上には負の壁電荷が存在している。ＳＦ２の初期化期間において、全ての維持電極をＶｈ（Ｖ）に保持し、全てのデータ電極を０（Ｖ）に保持し、全ての走査電極にＶｍ（Ｖ）からＶａ（Ｖ）に向かって緩やかに下降するランプ電圧を印加する。このランプ電圧が下降する間に、直前の維持期間（ＳＦ１の維持期間）で維持放電を行った放電セルでは微弱放電が発生し、各電極上に形成された壁電荷が弱められ、放電セル内の電圧は放電開始電圧に近い状態となる。一方、ＳＦ１で書き込み放電および維持放電を行わなかった放電セルについては、ＳＦ２の初期化期間において微弱放電することはなく、ＳＦ１の初期化期間終了時における壁電荷状態が保たれている。
【００１０】
ＳＦ２の書き込み期間および維持期間については、ＳＦ１の場合と同様の波形を印加することにより、映像信号に対応した放電セルにおいて維持放電を発生させる。また、ＳＦ３〜ＳＦ８については、ＳＦ２と同じ駆動波形を各電極に印加することにより、所望の画像表示が行われる。
【００１１】
このように、ＳＦ１の初期化動作はすべての放電セルを放電させる完全初期化動作であり、ＳＦ２〜ＳＦ８の初期化動作は直前の維持期間において維持放電が発生した放電セルでのみ放電を起こす選択初期化動作である。したがって、階調表示の関係のない発光はＳＦ１の完全初期化動作のみとなり、さらにその発光もランプ波形電圧に伴う微弱発光であるのでコントラストの高い映像表示が可能となる。
【００１２】
図８にプラズマディスプレイの階調表現方法を示している。プラズマディスプレイは放電現象を利用しているため放電セル１２は点灯及び非点灯の２つの状態しか持たない。従って中間調の階調表現を行うために１フィールドを複数のサブフィールドに分割し、それぞれのサブフィールドに発光輝度に対応した重み付けを行い、フィールド毎に発光の有無を制御することで階調表現をしている。例えば、図８に示すように１フィールドを８つのサブフィールドに分割し、それぞれのＳＦ１からＳＦ８の発光輝度の重みを「１」、「２」、「４」、「８」、「１６」、「３２」、「６４」、「１２８」として配置する。階調「１５」を表現する場合、ＳＦ１，ＳＦ２，ＳＦ３及びＳＦ４における書き込み期間において書き込み動作を行うことにより、サブフィールドそれぞれの重みである「１」、「２」、「４」及び「８」に相当する維持動作が行われ、階調「１５」が表現される。また階調「１６」を表現する場合は、ＳＦ５においてのみ書き込み動作を行うことで階調「１６」に相当する維持動作が行われる。
【００１３】
例えば、ＳＦ１を処理している場合、図８に示すＳＦ１のうち、“１”で表示されている放電セルは書き込み動作が行われ、空欄で表示されている放電セルは書き込み動作が行われない。維持期間においては走査電極及び維持電極に各サブフィールドに重み付けされた値に応じた維持用の維持パルスが印加され、維持パルスと同数の電圧パルスがデータ電極に印加される。“１”で表示され書き込み動作が行われた放電セルは、各維持パルスに対し放電が起こり、１回の放電で所定の放電セルに対して所定の輝度を得ることができる。ＳＦ１においては重み付けが“１”であるので“１”のレベルの輝度が得られる。またＳＦ２においては重み付けが“２”であるので、“２”のレベルの輝度が得られる。以上のように書き込み期間は発光する放電セルを選択する期間であり、維持期間は各サブフィールドの重み付けに応じた回数の維持発光が行われる期間である。
【００１４】
【特許文献１】
特開２０００−２４２２２４号公報
【００１５】
【発明が解決しようとする課題】
しかしながら、上述の駆動方法では、書き込み期間の直前において放電が生じるのは、ＳＦ１の初期化期間の微弱放電と維持期間の各サブフィールドの重み付けに応じた回数の維持発光の放電のみである。このような駆動方法において、例えば階調「１」を表現する場合、書き込み期間の直前において放電が生じるのは、ＳＦ１の初期化期間の微弱放電と、図７に示すようにＳＦ１の維持期間の１回の維持発光の放電のみである。放電が生じると、放電空間内にプライミング粒子が発生するが、放電が弱いほどまた放電の回数が少ないほどその量は減少する。また、プライミング粒子の量が減少するほど書き込みパルスの印加から最初の放電が生じるまでの時間（放電形成遅れ時間）及び各画素セルの放電開始時間のばらつき（放電統計遅れ時間）が増大する。したがって、例えば、上述した階調「１」を表現する場合のように書き込み期間の直前において放電の回数が少ない場合、プライミング粒子の量が少ないため書き込み期間に印加された書き込みパルスで、書き込み放電が生じなくなる可能性が高くなり、そのセルは不灯となりやすいという課題があった。
【００１６】
また、プライミング粒子は発生後、時間が経過すると共に減少していく。例えば階調「１６」を表現する場合は、書き込み動作を行わなければならないＳＦ５の書き込み期間の直前において放電が生じるのは、ＳＦ１の初期化期間の微弱放電と図８に示すようにＳＦ５の維持期間の１６回の維持発光の放電のみである。この場合、維持発光の放電回数は１６回と多いものの、ＳＦ５の書き込み期間はＳＦ１の初期化期間とＳＦ５の維持発光から時間的に遠いためプライミング粒子が減少する。このように、書き込み動作を行わなければならない書き込み期間がＳＦ１の初期化期間または維持発光を起こす維持期間から時間的に遠いためにプライミング粒子が減少する場合は、書き込み期間に印加された書き込みパルスで、書き込み放電が生じなくなる可能性が高くなり、そのセルは不灯となりやすいという課題があった。
【００１７】
本発明は上記課題を解決するためになされたものであり、書き込み動作を安定させることで、セルの不灯を抑制し表示特性を向上させる。
【００１８】
【課題を解決するための手段】
上述した課題を解決するために、本発明のプラズマディスプレイパネルの駆動方法は、書き込み期間の前に強放電初期化期間を設け、書き込み期間により多くのプライミング粒子を残留させることで、書き込み放電を安定して起こさせるものである。
【００１９】
【発明の実施の形態】
本発明の請求項１に記載の発明は、書き込み期間と維持期間とを有する複数のサブフィールドによって１フィールド期間が構成されたプラズマディスプレイパネルの駆動方法であって、前記複数のサブフィールドのうち少なくとも１つのサブフィールドにおける維持期間の維持動作と、前記サブフィールドに続く次のサブフィールドの初期化動作とを同時に行うように構成し、かつ前記複数のサブフィールドのうち少なくとも１つのサブフィールドにおける書き込み期間の先頭に強放電初期化期間を設けたことを特徴とする。
【００２０】
また、請求項２に記載の発明は、書き込み期間と維持期間とを有する複数のサブフィールドによって１フィールド期間が構成されたプラズマディスプレイパネルの駆動方法であって、前記複数のサブフィールドのうち少なくとも１つのサブフィールドにおける維持期間の維持動作と、前記サブフィールドに続く次のサブフィールドの初期化動作とを同時に行うように構成し、かつ前記複数のサブフィールドのうち少なくとも１つのサブフィールドに初期化期間を設け、その初期化期間を強放電初期化期間としたことを特徴とする。
【００２１】
さらに、請求項３に記載の発明は、強放電初期化期間は複数のサブフィールドのうち少なくとも先頭のサブフィールドの初期化期間に設けたことを特徴とし、また請求項４に記載の発明は、強放電初期化期間が５Ｖ／μｓ以上の電圧の変化速度を有する電圧波形を印加するものであることを特徴とし、また、請求項５に記載の発明は、強放電初期化期間が矩形波形の電圧を印加するものであることを特徴とする。
【００２２】
以下、本発明の一実施の形態によるプラズマディスプレイパネルの駆動方法について、図１〜図４の図面を用いて説明する。
【００２３】
図１は本発明の一実施の形態における駆動方法における動作タイミング図である。なお、ここでは、１フィールド期間が初期化期間と書き込み期間と維持期間とを有する８つのサブフィールド（ＳＦ１〜ＳＦ８）で構成されているものとして説明する。図１に示すように、１フィールド期間は、初期化期間と書き込み期間と維持期間とを有する８つのサブフィールドで構成されており、ＳＦ１においては初期化期間を独立して設けており、ＳＦ１を除くＳＦ２〜ＳＦ８において、初期化期間の初期化動作は、前のサブフィールドの維持期間の最終の維持動作Ａと同時に行うように構成している。また、図１において、ＳＦ１の初期化期間を除くと、ＳＦ１の書き込み期間と維持期間と、ＳＦ２の最初からＳＦ８の最終までとの動作は、従来例で説明した動作と同じである。
【００２４】
図１に示すように、ＳＦ１の初期化期間では、全てのデータ電極Ｄ１〜Ｄｍおよび全ての維持電極ＳＵＳ１〜ＳＵＳｎを０（Ｖ）に保持し、全ての走査電極ＳＣＮ１〜ＳＣＮｎに対して、放電開始電圧を超える電圧Ｖｒ（Ｖ）の矩形波形電圧Ｐ１を印加することにより、全ての放電セルにおいて強放電を起こさせ、セル内に大量のプライミング粒子を発生させる。また、維持電極上およびデータ電極上に正の壁電荷を蓄え、走査電極上に負の壁電荷を蓄える。その後、全ての維持電極ＳＵＳ１〜ＳＵＳｎを正電圧Ｖｈ（Ｖ）に保ち、全ての走査電極ＳＣＮ１〜ＳＣＮｎにＶａ（Ｖ）に向かって緩やかに下降するランプ電圧Ｒを印加することにより、全ての放電セルにおいて微弱な放電を起こし、各電極上に蓄えられた壁電荷を弱めることで、放電セル内の電圧は放電開始電圧に近い状態となる。このような強放電を伴う初期化動作を行う期間を強放電初期化期間と呼び、本発明においては、この強放電初期化期間がＳＦ１の先頭に設けられている。
【００２５】
したがって、例えば、階調「１」を表現する場合、書き込み期間の直前において放電が生じるのは、ＳＦ１の維持期間の維持発光は１回のみであるが、ＳＦ１の初期化期間を強放電を起こさせる強放電初期化期間にすることで、続く書き込み期間に移ったときには、強放電により発生した大量のプライミング粒子が放電セル内に残留しており、書き込みパルスの印加から最初の放電が生じるまでの時間（放電形成遅れ時間）および各画素セルの放電開始時間のばらつき（放電統計遅れ時間）が小さくなる。これにより、書き込み期間の書き込み放電を安定して起こすことで、不灯の発生を避け、表示特性を向上させることができる。
【００２６】
またこの時、従来の初期化期間は全てのデータ電極Ｄ１〜Ｄｍおよび全ての維持電極ＳＵＳ１〜ＳＵＳｎを０（Ｖ）に保持し、全ての走査電極ＳＣＮ１〜ＳＣＮｎに対して放電開始電圧以下となる電圧Ｖｐ（Ｖ）から、放電開始電圧を超える電圧Ｖｒ（Ｖ）に向かって緩やかに上昇するランプ電圧を印加することにより、全ての放電セルにおいて微弱放電を起こし、維持電極上およびデータ電極上に正の壁電荷を蓄え、走査電極上に負の壁電荷を蓄える方法であったが、本発明ではこの緩やかに上昇するランプ電圧を用いず、一瞬で放電開始電圧を超える矩形波形電圧を印加することにより、初期化期間に要する時間を従来よりも短縮することができる。したがって、駆動時間が増加する高精細度パネルに対して、特に、有効な駆動方法となる。
【００２７】
なお、上記実施の形態において、強放電初期化期間は先頭のＳＦ１の初期化期間に含まれる場合を示したが、これに限らず複数のサブフィールドのうち少なくとも１つのサブフィールドにおける初期化期間に強放電初期化期間を含めた場合においても、同様の効果を得ることができる。さらに、上記実施の形態においては、強放電初期化基間が矩形波形電圧Ｐ１を印加する例を示したが、これに限らず図２に示すように強放電初期化期間が５Ｖ／μｓ以上の電圧の変化速度を有する矩形波形電圧Ｐ２を印加する場合においても、同様の効果を得ることができる。
【００２８】
次に、本発明の他の実施の形態について図３に示す駆動波形タイミング図を用いて説明する。上記実施の形態では、ＳＦ１の初期化期間に強放電初期化期間を設けた場合を説明したが、図３に示す実施の形態においては、ＳＦ１の初期化期間とＳＦ５の初期化期間に強放電初期化期間を設けたものである。この実施の形態による強放電初期化期間の動作は、上記実施の形態と同様な動作であるが、この実施の形態にすることで、例えば階調「１６」を表現する場合は、書き込み期間の直前において放電が生じるのは、ＳＦ１の強放電初期化期間の強放電と、ＳＦ５の強放電初期化期間の強放電と維持期間の１６回の維持発光となる。
【００２９】
この場合、従来の駆動方法では書き込み動作を行わなければならないＳＦ５の書き込み期間は、ＳＦ１の初期化期間とＳＦ５の維持発光から時間的に遠いためにプライミング粒子が減少したが、ＳＦ５の初期化期間に強放電が生じることで、ＳＦ５の初期化期間に発生した大量のプライミング粒子は、続くＳＦ５書き込み期間においても放電セル内に残留しており、書き込みパルスの印加から最初の放電が生じるまでの時間（放電形成遅れ時間）および各画素セルの放電開始時間のばらつき（放電統計遅れ時間）が小さくなる。したがって、書き込み期間の書き込み放電を安定して起こすことができ、不灯の発生を避けて表示特性を向上させることができる。
【００３０】
なお、この実施の形態においては、強放電初期化期間をＳＦ１とＳＦ５の初期化期間に含まれる場合を示したが、これに限らず１フィールド期間に含まれる複数のサブフィールドのうち少なくともＳＦ１を含むサブフィールド群のいずれかの初期化期間に強放電初期化期間が含まれても、同様の効果を得ることができる。さらに、図３の実施の形態においては、強放電初期化期間が矩形波形電圧Ｐ１を印加する例を示したが、図１，図２に示す実施の形態と同様に、図４に示すように強放電初期化期間が５Ｖ／μｓ以上の電圧の変化速度を有する矩形波電圧Ｐ２を印加する場合においても、同様の効果を得ることができる。
【００３１】
【発明の効果】
以上の説明から明らかなように、本発明のプラズマディスプレイパネルの駆動方法によれば、書き込み期間の前に強放電初期化期間を設けて書き込み期間により多くのプライミング粒子を残留させることで、書き込み放電を安定して起こさせることができ、セルの不灯を抑制して表示特性を向上させることができる。さらに、従来の初期化期間の緩やかに上昇するランプ波形電圧を、本発明では急峻に上昇する矩形波形電圧にすることから、初期化期間に要していた時間を従来よりも短縮することができ、特に駆動時間が増加する高精細度パネルに対して有効な駆動方法となる。
【図面の簡単な説明】
【図１】本発明の一実施の形態によるプラズマディスプレイパネルの駆動方法を示す動作駆動タイミング図
【図２】図１に示す実施の形態において、電圧波形を変えた例を示す動作駆動タイミング図
【図３】本発明の他の実施の形態によるプラズマディスプレイパネルの駆動方法を示す動作駆動タイミング図
【図４】図３に示す実施の形態において、電圧波形を変えた例を示す動作駆動タイミング図
【図５】従来のプラズマディスプレイパネルを示す斜視図
【図６】プラズマディスプレイパネルの電極配列図
【図７】従来のプラズマディスプレイパネルの駆動方法を示す動作駆動タイミング図
【図８】プラズマディスプレイパネルにおける階調表現方法を示す説明図
【符号の説明】
Ｐ１，Ｐ２  矩形波形電圧
【図１】
2005037605.tif 000003
【図２】
2005037605.tif 000004
【図３】
2005037605.tif 000005
【図４】
2005037605.tif 000006
【図５】
2005037605.tif 000007
【図６】
2005037605.tif 000008
【図７】
2005037605.tif 000009
【図８】
2005037605.tif 000010